Podtech/llm-jp-corpus-v4-ja_patent huggingface dataset:
【手続補正書】
【提出日】平成16年7月1日(2004.7.1)
【手続補正１】
【補正対象書類名】特許請求の範囲
【補正対象項目名】全文
【補正方法】変更
【補正の内容】
【特許請求の範囲】
【請求項１】
一連の複数の複素信号をそれぞれの時間期間τの間に受信するＮ個のアンテナであって（ｎ＞１）、該複素信号の各々がランダムに重畳された複数の信号成分からなり、該受信アンテナ全てによって一つの時点で受信された該信号成分の全てが集合的に信号ベクトルを形成するような、ｎ個のアンテナと、
前記時間期間の間に受信された前記信号成分を、それぞれの空間と時間関係に形成する手段と、該空間はそれぞれの送信アンテナ素子に関連しており、及び
空間・時間の斜線に沿ってそれぞれのグループ内に配置された前記信号ベクトルを前処理する手段であって、該前処理は、前処理中の信号ベクトルのグループと同じ時間期間τの間に受信された一連の信号ベクトルへの復号化されなかった寄与分をゼロ化することと、同じ一連の信号ベクトルに対する復号化された寄与分を差し引くこととによって行われ、これらの信号ベクトルのグループが前記時間期間のそれぞれと前記送信アンテナ素子のそれぞれとに関連するような、前記信号ベクトルを前処理するための手段と、からなることを特徴とする、ディジタル無線受信装置。
【請求項２】
一連の複数の複素信号をそれぞれの時間期間τの間に受信するｎ個のアンテナであって（ｎ＞１）、該複素信号の各々が、ランダムに重畳された複数の信号成分からなり、該受信アンテナ全てによって一つの時点で受信された該信号成分の全てが集合的に信号ベクトルを形成するような、ｎ個のアンテナと、
前記時間期間の間に受信された前記信号成分をそれぞれの空間と時間関係に形成する手段と、該空間は、それぞれの送信アンテナ素子に関連しており、及び
空間・時間の斜線に沿ってそれぞれのグループ内に配置された前記信号ベクトルを前処理する手段であって、該前処理は、前処理中の受信された送信信号の信号対雑音比を最大化することと、同じ一連の信号ベクトルへの復号化された寄与分を差し引くこととによって行われ、これらの信号ベクトルのグループが前記時間期間のそれぞれと前記送信アンテナ素子のそれぞれとに関連するような、前記信号ベクトルを前処理するための手段と、からなることを特徴とする、ディジタル無線受信装置。
【請求項３】
受信回路であって、
ｎ個（ｎ＞１）の送信アンテナ素子を有する送信装置によって送信されたｎ次元の信号ベクトルのそれぞれを受信するための複数のアンテナ素子と、
メモリ、及び
前処理回路とからなり、
該前処理回路が、（ａ）特定の時間期間に受信され且つ前記送信アンテナ素子のうちの特定の送信アンテナ素子に関連する前記ｎ次元の信号ベクトルの１つを、前記メモリからアンロードし、（ｂ）アンロードされた前記ｎ次元の信号ベクトルから、前記特定の時間期間以外の時間期間と特定の送信アンテナ素子以外の送信アンテナ素子とに関連する前記ｎ次元の信号ベクトルを前処理した結果として得られる検出シンボルを差し引き、（ｃ）アンロードされた前記ｎ次元の信号ベクトルから、まだ処理されていない前記ｎ次元の信号ベクトルに関連するシンボルをゼロ化する、ように作動し、
該前処理回路が、もし現に処理中の前記ｎ次元の信号ベクトルを含むｎ次元の信号ベクトルの層の前記前処理が完了している場合に前記前処理の結果を出力し、且つ前記層に含まれる次のｎ次元の信号ベクトルを前処理するために前記メモリからアンロードするための手段を含んでいることを特徴とする受信回路。
【請求項４】
受信回路であって、
複数の送信アンテナ素子を有する送信装置によって送信された信号ベクトルを受信するための複数のアンテナ素子、
信号前処理回路、及び
復号化回路とからなり、
前記信号前処理回路が、前記信号前処理回路によって処理されて前に検出された送信信号の復号化から得られた復号化結果を、現に処理中の信号ベクトルから差し引き、且つ送信信号の他の検出されていない要素を現に処理中の信号ベクトルからゼロ化するよう、前記信号ベクトル各々を処理するように作動し、それから
前記信号ベクトルの前処理から得られた結果を復号化していることを特徴とする受信回路。
【請求項５】
個々の前記信号ベクトルが、ｎ次元の複素信号ベクトルであり、ｎが前記送信アンテナ素子の個数に等しいことを特徴とする請求項４の受信回路。
【請求項６】
前記信号前処理回路が、予め定められた時間期間に受信された各信号ベクトルをｎ倍に複製して該複製された結果を前記送信アンテナ素子に応じて時間及び空間に配列するための、そして前記送信アンテナ素子のうちのそれぞれの送信アンテナ素子に関連し且つ前記時間期間の特定の時間期間に受信されたｎ次元の信号ベクトルに関連する複製された結果の斜層を前処理するように提供する手段を有することを特徴とする請求項５の受信回路。
【請求項７】
前記対角線層の前処理が、前記斜層に沿っての最前の時間点に受信された１個のｎ次元の信号ベクトルの前処理で始まり、前記斜層に沿っての最後の時間点に受信された１個のｎ次元の信号ベクトルの前処理で終わることを特徴とする請求項６の受信回路。
【請求項８】
前記前処理が、最後の時間点に受信された前記１個のｎ次元の信号ベクトルの前処理に続いて、次に続く斜層において継続されることを特徴とする請求項７の受信回路。
【請求項９】
前記受信回路が更に、前記復号化回路によって出力された信号を多重化するための多重化回路からなることを特徴とする、請求項４の受信回路。
【請求項１０】
受信回路であって、
ｎ個（ｎ＞１）の送信アンテナ素子を有する送信装置によって送信されたｎ次元（ｎ＞１）の信号ベクトルのそれぞれを受信するための複数のアンテナ素子、
信号前処理回路、及び
復号化回路とからなり、
前記信号前処理回路が、前記信号前処理回路によって前に処理されたｎ次元の信号ベクトルの復号化から得られた復号化結果を、現に処理中のｎ次元の信号ベクトルから差し引き、且つ前処理中の受信された送信信号成分の信号対雑音比を最大化するため前記ｎ次元の信号ベクトル各々を処理するように作動し、それから前記信号前処理回路による前記ｎ次元の信号ベクトル各々の前処理から得られた結果を復号化していることを特徴とする、受信回路。
【請求項１１】
送信装置であって、
複数のアンテナ素子、
転換器、
複数の変調／符号化回路、及び
データ源から受信されたデータ・ストリームを複数のデータ・サブストリームに多重分離するための、且つ前記データ・サブストリームを前記変調／符号化回路に供給するための多重分離器とからなり、
前記変調／符号化回路の各々が、前記多重分離器から受信されたデータを符号化するとともに該符号化されたデータを前記転換器に供給し、
前記転換器は、前記符号化されたデータの送信のため、前記複数のアンテナ素子の各々に前記変調／符号化回路の各々を接続していることを特徴とする、送信装置。
【請求項１２】
前記接続が、予め定められた時間長さの間存在することを特徴とする請求項１１の装置。
【請求項１３】
前記データ・サブストリームの各々が、同じデータ速度を有することを特徴とする請求項１１の装置。
【請求項１４】
前記符号化は、ブロックコードを用いて、前記データ・サブストリームの少なくとも１つを符号化していることを特徴とする請求項１１の装置。
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  遊技機本体に対して前面側へ向け開閉可能な開閉扉が設けられるとともに、該開閉扉に膨出形成され上方が開口した膨出部の内部に球受皿が配置され、球受皿内に貯留された遊技球を順次投入して遊技を実施する遊技機であって、
前記球受皿が形成された球受皿ユニットを遊技機本体の前面に装着し、かつ前記開閉扉を前記球受皿ユニットが遊技機本体に装着された状態で開閉されるようにしたことを特徴とする遊技機。
【請求項２】  遊技機本体に対して前面側へ向け開閉可能な開閉扉が設けられるとともに、該開閉扉に膨出形成され上方が開口した膨出部の内部に球受皿が配置され、球受皿内に貯留された遊技球を順次投入して遊技を実施する遊技機であって、
前記球受皿が形成された球受皿ユニットを遊技機本体の前面に着脱可能に装着し、かつ前記開閉扉を前記球受皿ユニットが遊技機本体に装着された状態で開閉されるようにしたことを特徴とする遊技機。
【請求項３】  前記球受皿ユニットを前記遊技機本体に取り付ける締結具を設け、該締結具の操作によって球受皿ユニットを着脱自在としたことを特徴とする請求項２に記載の遊技機。
【請求項４】  前記球受皿ユニットには前記締結具としてのナイラッチ（登録商標）が取り付けられ、このナイラッチの締結作用により球受皿ユニットが遊技機本体に装着されることを特徴とする請求項３に記載の遊技機。
【請求項５】  前記遊技機本体は、前記開閉扉を開放した状態で前方に露出する裏セット盤を有し、この裏セット盤に対して前記球受皿ユニットが装着されることを特徴とする請求項１乃至４のいずれかに記載の遊技機。
【請求項６】  前記開閉扉を閉じた状態で球受皿ユニットの前方部が当該開閉扉に係止されるように構成することで、球受皿ユニットの前方部が開閉扉に支持されるようにしたことを特徴とする請求項１乃至５のいずれかに記載の遊技機。
【請求項７】  前記係止は、前記球受皿ユニットの前方側に形成されたフランジと、前記開閉扉の背面に形成され当該開閉扉の閉鎖時に前記フランジを挟持する部分とで構成されたものであることを特徴とする請求項６に記載の遊技機。
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  遊技球が貯留される球受皿と、遊技機本体の一側部を中心に開閉可能に軸支された開閉体と、その開閉体の背後に設けられ球受皿内に貯留された遊技球を順次取り込む取込装置とを備えた遊技機であって、
前記取込装置は、前記開閉体の軸側寄りに設置されていることを特徴とする遊技機。
【請求項２】  前記球受皿には前記取込装置の設置部位である前記軸側に向けて傾斜した球通路が形成されており、該球通路の下流側が取込装置の球入口に連通されていることを特徴とする請求項１に記載の遊技機。
【請求項３】  前記取込装置は、遊技球の取込数をカウントする取込球検知手段を備えたことを特徴とする請求項１又は２に記載の遊技機。
【請求項４】  取込球検知手段は、球取込経路途中に複数備えられ、それらが球取込経路の順に検出されることを条件に遊技球の取込が正常に行われたと判断するようにしたことを特徴とする請求項３に記載の遊技機。
【請求項５】  遊技球の払出を行う払出機構を備え、該払出機構から払い出された遊技球を前記球受皿に供給するようにした遊技機において、
前記払出機構のうち少なくとも払出遊技球を前記球受皿に供給するための装置類を、前記取込装置と同様、前記開閉体の軸側寄りに設置したことを特徴とする請求項１乃至４のいずれかに記載の遊技機。
【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  ポンプによって吸入口から芳香発生源へ空気を吸入し、前記芳香発生源から芳香排出口へ空気を排出することによって芳香を発生させる芳香発生装置において、
前記芳香発生源は、固体またはゲル状の香料、あるいは固形物に液体の香料を含浸させたものであり、
前記芳香排出口には、芳香の流出を遮断可能な芳香遮断手段が設けられ、
前記芳香遮断手段は、前記ポンプであって気密性を有しており、前記芳香排出口から空気を吸入することによって芳香を消臭する消臭手段を備えていることを特徴とする芳香発生装置。
【請求項２】  請求項１において、前記消臭手段は前記芳香排出口から吸入した空気を排出する排気手段を備えていることを特徴とする芳香発生装置。
【請求項３】  請求項１または２において、前記芳香排出口から吸入した空気を消臭する消臭剤を備えていることを特徴とする芳香発生装置。
【請求項４】  請求項１〜３のいずれかにおいて、前記芳香発生源は複数設けられ、これらの芳香発生源を選択可能な芳香選択手段を備えていることを特徴とする芳香発生装置。
【請求項５】  請求項１〜４のいずれかにおいて、前記吸入口から前記芳香発生源への空気の逆流を防止する逆流防止手段が設けられていることを特徴とする芳香発生装置。
【請求項６】  請求項１〜５のいずれかにおいて、前記ポンプの駆動源は、圧電素子の伸縮によって駆動される圧電アクチュエータであり、駆動用ロータが前記圧電アクチュエータによって付勢されながら回転駆動されて、前記吸入口から芳香発生源へ空気が吸入されることを特徴とする芳香発生装置。
【手続補正２】
【補正対象書類名】明細書
【補正対象項目名】０００６
【補正方法】変更
【補正の内容】
【０００６】
【課題を解決するための手段】
そのため、本発明の芳香発生装置は、ポンプによって吸入口から芳香発生源へ空気を吸入し、前記芳香発生源から芳香排出口へ空気を排出することによって芳香を発生させる芳香発生装置において、前記芳香発生源は、固体またはゲル状の香料、あるいは固形物に液体の香料を含浸させたものであり、前記芳香排出口には、芳香の流出を遮断可能な芳香遮断手段が設けられ、前記芳香遮断手段は、前記ポンプであって気密性を有しており、前記芳香排出口から空気を吸入することによって芳香を消臭する消臭手段を備えていることを特徴とする。
この構成の芳香発生装置では、芳香発生源が固体またはゲル状の香料、あるいは固形物に液体の香料を含浸させたものなので、従来のような液体の香料の場合とは異なり、芳香発生装置の設置方向が限定されない。よって、芳香発生装置の設置場所や、設置方法などの自由度が増し、適用範囲が広がり、汎用性が向上する。
また、芳香発生源が固体またはゲル状の香料、あるいは固形物に液体の香料を含浸させたものなので、高温下におかれても揮発しにくく、長期間にわたって芳香性能が安定する。
ここで、固体の香料としては、粒状や粉状の固体の香料や、塊状の固体の香料などをいい、気体および液体を除く全ての状態の香料を含むものである。
【手続補正３】
【補正対象書類名】明細書
【補正対象項目名】０００７
【補正方法】変更
【補正の内容】
【０００７】
また、この芳香発生装置では、少なくとも芳香排出口に芳香遮断手段が設けられているので、芳香が必要ない時には芳香排出口が遮断される。つまり、必要な時のみに芳香が供給されるので、芳香作用がより効果的になる。また、少なくとも芳香排出口が常に開放とはならず、使用しない時には芳香排出口が遮断されるので、より確実に香料の溶剤の揮発や乾燥が防止され、長期間使用しても芳香性能が安定する。
そしてこの際、芳香発生装置は芳香排出口から吸入した空気を消臭する消臭手段を備えているので、例えば排気手段に消臭剤が設けられている場合では、芳香が付加された空気は消臭剤で消臭してから排出される。これにより、排気手段から芳香がもれることなく、消臭効果が良好となる。また、排気手段が設けられていない芳香発生装置においては、消臭剤を吸入口に設ければ、芳香排出口から吸入された空気が芳香発生源を再び通ってより高濃度の芳香となっても、消臭剤がこの芳香を消臭するので、消臭効果が良好となる。
加えて、この構成の芳香発生装置では、ポンプが気密性を有し、ポンプ自体が芳香遮断
手段となるので、バルブなどの芳香遮断手段を新たに設ける必要がなく、部品点数が減少する。よって製造が簡単かつ安価である。
【手続補正４】
【補正対象書類名】明細書
【補正対象項目名】０００８
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１４
【補正方法】変更
【補正の内容】
【００１４】
この際、ポンプの駆動源は、圧電素子の伸縮によってポンプを駆動する圧電アクチュエータであることが望ましい。そして、駆動用ロータが前記圧電アクチュエータによって付勢されながら回転駆動されて、前記吸入口から芳香発生源へ空気が吸入される。
この構成の芳香発生装置では、ポンプを圧電アクチュエータで駆動しているので、省スペース化が促進される。
【手続補正書】
【提出日】平成17年10月3日(2005.10.3)
【手続補正１】
【補正対象書類名】明細書
【補正対象項目名】発明の名称
【補正方法】変更
【補正の内容】
【発明の名称】腕時計セット
【手続補正２】
【補正対象書類名】明細書
【補正対象項目名】特許請求の範囲
【補正方法】変更
【補正の内容】
【特許請求の範囲】
【請求項１】  素材から型抜き形成された時計ケース付きの時計バンドと、この時計バンドを型抜きした後の残余の空間を当該時計バンドの収納部とした当該時計バントと同一素材からなるパッケージとを備えたことを特徴とする腕時計セット。
【請求項２】  素材がフェルト素材で形成されていることを特徴とする請求項１記載の腕時計セット。
【請求項３】  時計バンドを構成するフェルト素材に時計ケースを嵌める開口を形成し、この開口に止め具を介して時計ケースを固定したことを特徴とする請求項１又は２記載の腕時計セット。
【請求項４】  時計バンドを構成するフェルト素材にホックを固定し、このホックで時計バンドの連結具を構成したことを特徴とする請求項１乃至３のいずれか一項記載の腕時計セット。
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  被検体を計測可能な計測内視鏡を備えた内視鏡システムにおいて、
前記計測内視鏡による計測環境を最適化する補正手段を設けた
ことを特徴とする内視鏡システム。
【請求項２】  前記計測内視鏡は、
視差を有した２つの光路系を有する観察光学系を備え、
前記２つの光路系の視差を利用して計測対象をステレオ計測可能である
ことを特徴とする請求項１に記載の内視鏡システム。
【請求項３】  前記補正手段は、
前記計測内視鏡の先端部を前記計測対象の近傍で前記計測環境を最適化する位置に固定する固定手段を有する
ことを特徴とする請求項１もしくは請求項２に記載の内視鏡システム。
【請求項４】  前記補正手段は、
前記計測内視鏡の先端部と前記計測対象との位置関係を補正する位置補正手段である
ことを特徴とする請求項１に記載の内視鏡システム。
【請求項５】  前記位置補正手段は、
前記計測内視鏡の計測による計測結果をもとに、前記計測内視鏡の先端部と前記計測対象との位置を計測に適正な位置に移動させる位置決定手段である
ことを特徴とする請求項４に記載の内視鏡システム。
【請求項６】  前記補正手段は、
前記計測内視鏡の照明手段とは別に補助照明を照射する補助照明手段である
ことを特徴とする請求項１もしくは請求項２に記載の内視鏡システム。
【請求項７】  前記補正手段は、
前記計測内視鏡の先端部と前記計測対象との距離を計測する測距手段である
ことを特徴とする請求項１もしくは請求項２に記載の内視鏡システム。
【請求項８】  前記補正手段は、
前記計測内視鏡の視野内にステレオ計測用の目印を投影する目印投影手段である
ことを特徴とする請求項２に記載の内視鏡システム。
【請求項９】  前記補正手段は、
プローブの先端に基準長を示したチャートを備えたものである
ことを特徴とする請求項１もしくは請求項２に記載の内視鏡システム。
【請求項１０】  前記補正手段は、
前記計測内視鏡の照明手段からの照明を計測に適正な照明に適正化する照明適正化手段である
ことを特徴とする請求項１もしくは請求項２に記載の内視鏡システム。
【手続補正２】
【補正対象書類名】明細書
【補正対象項目名】００１６
【補正方法】変更
【補正の内容】
【００１６】
請求項２の発明は、前記計測内視鏡は視差を有した２つの光路系を有する観察光学系を備え、前記２つの光路系の視差を利用して計測対象をステレオ計測可能であることを特徴とする請求項１に記載の内視鏡システムである。
そして、本請求項２の発明では、計測内視鏡の観察光学系の２つの光路系の視差を利用して計測対象をステレオ計測するようにしたものである。
【手続補正３】
【補正対象書類名】明細書
【補正対象項目名】０１８５
【補正方法】変更
【補正の内容】
【０１８５】
請求項２の発明によれば、計測内視鏡の観察光学系の２つの光路系の視差を利用して計測対象をステレオ計測する際に、いかなる条件下でも計測対象の計測を可能にし、ステレオ計測の計測精度を向上できる内視鏡システムを提供できる。
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  遊技媒体として遊技球を用い所定条件の成立時に遊技球の払出を行う球払出遊技機であって、
各種電子部品を実装した基板と該基板を収容した基板ケースとを備えた基板装置を有し、遊技機背面側において基板面が遊技機の奥行き方向に延びるようにして基板装置を配置したことを特徴とする遊技機。
【請求項２】  遊技に際して変動絵柄を可変表示する絵柄表示装置と、遊技媒体として遊技球を用い所定条件の成立時に遊技球の払出を行う払出装置とを有する球払出遊技機であって、
各種電子部品を実装した基板と該基板を収容した基板ケースとを備えた基板装置を有し、遊技機背面側において基板面が遊技機の奥行き方向に延びるようにして基板装置を配置したことを特徴とする遊技機。
【請求項３】  前記絵柄表示装置を箱状のケース部材に収容し、該ケース部材の側面に前記基板装置を配置したことを特徴とする請求項２に記載の遊技機。
【請求項４】  ２つ以上の基板装置を備え、これら基板装置を平行に対向配置したことを特徴とする請求項１乃至３のいずれかに記載の遊技機。
【請求項５】  前記基板装置は遊技機本体に対して着脱可能であり、前記基板装置をその下端部が重力負担された状態で縦向きに固定保持すると共に、同下端部を支点として基板装置を遊技機後方に引き倒し可能に構成したことを特徴とする請求項１乃至４のいずれかに記載の遊技機。
【請求項６】  前記基板装置が引き倒し不可となるよう遊技機本体に対して当該基板装置の上端部を係止状態としたことを特徴とする請求項５に記載の遊技機。
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  表面に複数の絵柄が付された無端状ベルトを周回させ、遊技機前面に設けた表示窓を通じて前記絵柄を可変表示するように構成した遊技機において、ベルト表面の少なくとも絵柄以外の部位を非光沢面としたことを特徴とする遊技機。
【請求項２】  表面に複数の絵柄が付された無端状ベルトを周回させ、遊技機前面に設けた表示窓を通じて前記絵柄を可変表示するように構成した遊技機において、ベルト表面の全面を非光沢面としたことを特徴とする遊技機。
【請求項３】  前記無端状ベルトの前方には、ベルト表面に対して発光する発光手段を配設したことを特徴とする請求項１又は２に記載の遊技機。
【請求項４】  前記発光手段は、ベルト表面の所定領域に対して一様に発光する面発光手段であることを特徴とする請求項３に記載の遊技機。
【請求項５】  少なくとも２つのローラ部材に前記無端状ベルトを掛け渡して当該無端状ベルトを扁平状に周回させるように構成し、ベルト表面の平坦部分にかかる絵柄を表示窓を通じて視認可能としたことを特徴とする請求項１乃至４のいずれかに記載の遊技機。
【請求項６】  前記無端状ベルトの表面には、前記絵柄上に分離形成された状態で透明性を有する多数の樹脂体を付着させたことを特徴とする請求項１乃至５のいずれかに記載の遊技機。
【請求項７】  前記複数の絵柄のうち特定絵柄にのみ前記樹脂体を付着させたことを特徴とする請求項６に記載の遊技機。
【請求項８】  前記樹脂体は個々に点状をなし、所定の規則性を持たせて分離形成されていることを特徴とする請求項６又は７に記載の遊技機。
【請求項９】  前記樹脂体は個々に線状をなし、所定の規則性を持たせて分離形成されていることを特徴とする請求項６又は７に記載の遊技機。
【請求項１０】  前記表示窓から視認される前記絵柄の停止状況に応じて遊技者に遊技価値を付与するようにしたことを特徴とする請求項１乃至９のいずれかに記載の遊技機。
【手続補正書】
【提出日】平成17年9月27日(2005.9.27)
【手続補正１】
【補正対象書類名】明細書
【補正対象項目名】特許請求の範囲
【補正方法】変更
【補正の内容】
【特許請求の範囲】
【請求項１】  表面に複数の絵柄が連続的に付された無端状ベルトを回転部材を用いて周回可能に配設し、遊技機前面に設けた表示窓を通じて前記絵柄を可変表示するよう構成した遊技機において、
前記無端状ベルトの表面には、前記絵柄上に分離された状態で透明性を有する多数の樹脂体を付着させたことを特徴とする遊技機。
【請求項２】  表面に複数の絵柄が連続的に付された無端状ベルトを回転部材を用いて周回可能に配設し、遊技機前面に設けた表示窓を通じて前記絵柄を可変表示するよう構成した遊技機において、
前記表示窓を通じて可変表示される絵柄を前方より照らすための発光手段を設け、前記無端状ベルトの表面には、前記絵柄上に分離形成された状態で透明性を有する多数の樹脂体を付着させたことを特徴とする遊技機。
【請求項３】  前記発光手段は、ベルト表面に対して面発光を行うものであることを特徴とする請求項２に記載の遊技機。
【請求項４】  前記複数の絵柄のうち特定絵柄に前記樹脂体を付着させたことを特徴とする請求項１乃至３のいずれかに記載の遊技機。
【請求項５】  前記特定絵柄の一部に前記樹脂体を付着させたことを特徴とする請求項４に記載の遊技機。
【請求項６】  前記特定絵柄を含み且つ前記無端状ベルトの周回方向に対して交差する方向となる領域に前記樹脂体を付着させたことを特徴とする請求項４又は５に記載の遊技機。
【請求項７】  前記特定絵柄に光透過部を設ける一方、無端状ベルトの背後には後方発光手段を設けたことを特徴とする請求項４乃至６のいずれかに記載の遊技機。
【請求項８】  前記樹脂体は個々に点状をなし、所定の規則性を持たせて分離形成されていることを特徴とする請求項１乃至７のいずれかに記載の遊技機。
【請求項９】  前記樹脂体は個々に線状をなし、所定の規則性を持たせて分離形成されていることを特徴とする請求項１乃至７のいずれかに記載の遊技機。
【請求項１０】  前記無端状ベルトの周回方向における前記樹脂体の長さが規定長さを越えるものである場合、当該樹脂体が複数に区分して設けられることを特徴とする請求項９に記載の遊技機。
【請求項１１】  表面に複数の絵柄が連続的に付された無端状ベルトを回転部材を用いて周回可能に配設し、遊技機前面に設けた表示窓を通じて前記絵柄を可変表示するよう構成した遊技機において、
前記無端状ベルトの表面には、透明性を有する樹脂材料による所定の樹脂パターンが付着形成されていることを特徴とする遊技機。
【請求項１２】  前記複数の絵柄のうち特定絵柄に前記樹脂パターンを付着形成したことを特徴とする請求項１１に記載の遊技機。
【請求項１３】  前記樹脂パターンは個々に点状をなす樹脂体の集合により構成されていることを特徴とする請求項１１又は１２に記載の遊技機。
【請求項１４】  前記樹脂パターンは個々に線状をなす樹脂体の集合により構成されていることを特徴とする請求項１１又は１２に記載の遊技機。
【請求項１５】  前記無端状ベルトの表面を非光沢面としたことを特徴とする請求項１乃至１４のいずれかに記載の遊技機。
【請求項１６】  前記無端状ベルトを少なくとも２つの回転部材に掛け渡し、当該無端状ベルトを扁平状に周回させるように構成したことを特徴とする請求項１乃至１５のいずれかに記載の遊技機。
【請求項１７】  前記表示窓から視認される前記絵柄の停止状況に応じて遊技者に遊技価値を付与するようにしたことを特徴とする請求項１乃至１６のいずれかに記載の遊技機。
【手続補正書】
【提出日】平成17年9月29日(2005.9.29)
【手続補正１】
【補正対象書類名】明細書
【補正対象項目名】００２１
【補正方法】変更
【補正の内容】
【００２１】
本発明の散水チューブを構成するポリオレフィン系樹脂には、後述の架橋助剤の他、散水チューブの耐久性、耐候性を高める目的で、予め樹脂にカーボン、耐候安定剤、酸化防止剤などを適量添加することができる。また、その他、無機フィラー、滑剤、顔料、染料、帯電防止剤、可塑剤などの各種添加剤を必要に応じて適宜添加することができる。
【手続補正２】
【補正対象書類名】明細書
【補正対象項目名】００３０
【補正方法】変更
【補正の内容】
【００３０】
この場合、電子線照射によるポリオレフィン系樹脂の架橋化の効率を高めるために、予めポリオレフィン系樹脂にトリアニルイソシアヌレート、トリメタアリルイソシアヌレート、トリメチロールプロパントリアヌレート、トリスハイドロオキシエチルイソシアヌリックアクリレートなどの架橋助剤と称される化合物を添加してもよい。架橋助剤の添加量は、ポリオレフィン系樹脂の０．１〜１０重量％程度が好ましい。架橋助剤を添加することにより、上記照射線量の範囲内の比較的低線量における照射で高度に架橋を施すことができる。
【手続補正３】
【補正対象書類名】明細書
【補正対象項目名】００３６
【補正方法】変更
【補正の内容】
【００３６】
（５）９５℃熱水散水試験
各実施例、又は各比較例で得られた散水チューブ（チューブ肉厚み：０．６ｍｍ、チューブ長さ：３０ｍ、散水用孔径：０．４ｍｍ、孔ピッチ：４０ｍｍ、孔列数：１２列）の一端部を専用の止め具を用いて密閉し、試料とする。試料の他端を送水ポンプに接続して、送水元圧：０．１５ＭＰａ、送水速度：約１リットル／分にて９５℃の温水を連続して６時間／日、７日間の熱水散水試験を実施する。散水状況及び散水後の散水孔の形状を観察し、以下の基準により評価する。＜良好＞：全散水時間に亘って全ての散水孔から均一に散水が行われ、且つ、全散水孔が熱により変形していない。＜不良＞：時間の経過と共に各散水孔ごとに散水ムラが認められる。又は、熱により変形した散水孔が認められる。
【手続補正４】
【補正対象書類名】明細書
【補正対象項目名】００４６
【補正方法】削除
【補正の内容】
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】  原料粉に水を加えて混練し、春巻きの皮を製造するに際して、上記原料粉中に、デキストリン、酸化澱粉、酸処理澱粉、架橋澱粉、ハイアミロースコーンスターチの群から選ばれた１種または２種以上の低粘度澱粉（ただし、架橋澱粉およびハイアミロースコーンスターチにおいては膨潤度５以下のものを除く）を配合することを特徴とする春巻きの皮の製造方法。
【請求項２】  澱粉を原料粉中に１〜５０重量％配合することを特徴とする請求項１に記載の春巻きの皮の製造方法。
【請求項３】  請求項１または２に記載の方法により製造してなる春巻きの皮。
【手続補正２】
【補正対象書類名】明細書
【補正対象項目名】０００７
【補正方法】変更
【補正の内容】
【０００７】
【課題を解決するための手段】
本発明者らは、上記目的を達成するため鋭意研究した結果、原料粉中に特定の澱粉を配合すると、油ちょう後パリパリした食感を長時間維持できる春巻きの皮を得ることができることを見出し、本発明を完成した。
すなわち、本発明は、原料粉に水を加えて混練し、春巻きの皮を製造するに際して、上記原料粉中に、デキストリン、酸化澱粉、酸処理澱粉、架橋澱粉、ハイアミロースコーンスターチの群から選ばれた１種または２種以上の低粘度澱粉（ただし、架橋澱粉およびハイアミロースコーンスターチにおいては膨潤度５以下のものを除く）を配合することを特徴とする春巻きの皮の製造方法である。
【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】  特定の遊技状態の発生を検出するための状態検出手段と、
外部から入力された遊技者特定情報を記憶する遊技者特定情報記憶手段と、
その遊技者特定情報記憶手段に記憶された遊技者特定情報によって遊技者が特定されている状態で、前記遊技者特定情報に対応づけられた携帯通信端末に対して、前記状態検出手段による検出結果を遊技状態データとして送信するデータ送信手段と、
を備えたことを特徴とする遊技機。
【請求項２】  前記遊技者特定情報記憶手段によって記憶された遊技者特定情報によって遊技者が特定されていることを報知するための遊技者報知手段を備えたことを特徴とする請求項１に記載の遊技機。
【請求項３】  遊技者が所持する携帯通信端末から通信により前記遊技者特定情報を受信する遊技者特定情報受信手段を備え、
前記遊技者特定情報記憶手段は、その遊技者特定情報受信手段によって受信された前記遊技者特定情報を記憶するように構成されたことを特徴とする請求項１又は２に記載の遊技機。
【請求項４】  前記状態検出手段による検出結果を遊技状態データとして記憶するデータ記憶手段と、
遊技者が所持する携帯通信端末から通信により前記遊技状態データの送信要求を受信する送信要求受信手段と、
を備え、
前記データ送信手段は、前記送信要求受信手段が前記遊技者特定情報記憶手段に記憶された遊技者特定情報に対応づけられた携帯通信端末から送信要求を受信した場合に、前記データ記憶手段に記憶された前記遊技状態データの送信を行うことを特徴とする請求項１乃至３のいずれかに記載の遊技機。
【請求項５】  前記送信要求受信手段が遊技状態データの送信要求と共に遊技者特定情報を受信した場合、その遊技者特定情報が前記遊技者特定情報記憶手段に記憶された遊技者特定情報と一致するとき、前記遊技者特定情報記憶手段に記憶された遊技者特定情報に対応づけられた携帯通信端末からの送信要求であると判定することを特徴とする請求項４に記載の遊技機。
【請求項６】  前記遊技状態データに基づいて前記特定の遊技状態の発生を個々に識別可能に表す遊技情報を作成する情報作成手段を備え、
前記データ送信手段は、前記遊技情報を送信するように構成されたことを特徴とする請求項１乃至５のいずれかに記載の遊技機。
【手続補正２】
【補正対象書類名】明細書
【補正対象項目名】００１５
【補正方法】変更
【補正の内容】
【００１５】
２．前記遊技者特定情報記憶手段によって記憶された遊技者特定情報によって遊技者が特定されていることを報知するための遊技者報知手段を備えたことを特徴とする手段１に記載の遊技機。
【手続補正３】
【補正対象書類名】明細書
【補正対象項目名】００１６
【補正方法】変更
【補正の内容】
【００１６】
手段２によれば、遊技者報知手段が、前記遊技者特定情報記憶手段によって記憶された遊技者特定情報によって遊技者が特定されていることを報知するので、遊技者は、遊技者が特定されていることを確認することができる。
【手続補正書】
【提出日】平成16年3月23日(2004.3.23)
【手続補正１】
【補正対象書類名】明細書
【補正対象項目名】特許請求の範囲
【補正方法】変更
【補正の内容】
【特許請求の範囲】
【請求項１】
被検体の頭部の複数の部位に光を照射する照射部、
前記照射部から照射され前記被検体頭部内の大脳皮質を伝播した光を検出する受光部および、
前記被検体の頭部に装着するプローブを有し、
前記プローブは、正方格子を斜変形させた菱形の格子状に前記照射部と前記受光部が交互に並ぶ部分配列部材を複数個有し、
前記照射部および前記受光部間は、前記照射部および前記受光部間の距離がそれぞれほぼ等距離に保たれるよう連結部材により連結されており、
前記照射部または前記受光部を中心として前記連結部材が回転することにより前記部分配列部材の菱形の頂角は可変となるよう構成され、
前記被検体頭部に装着したときに前記部分配列部材の外側の辺同士がほぼ平行になり、前記部分配列間の距離は前記照射部と前記受光部間の距離とほぼ等距離になるように配置構成され、
前記被検体頭部に密着可能であることを特徴とする生体光計測装置。
【請求項２】
前記部分配列部材を４個有していることを特徴とする請求項１に記載の生体光計測装置。
【請求項３】
被検体の頭部の複数の部位に光を照射する照射部、
前記照射部から照射され前記被検体頭部内の大脳皮質を伝播した光を検出する受光部および、
前記被検体の頭部に装着するプローブを有し、
前記プローブは第１、第２、第３および第４の部分配列部材を有し、
前記第１の部分配列部材は第１、第２の照射部および第１、第２の受光部を有し、前記第２の部分配列部材は第３、第４の照射部および第３、第４の受光部を有し、前記第３の部分配列部材は第５、第６の照射部および第５、第６の受光部を有し、前記第４の部分配列部材は第７、第８の照射部および第７、第８の受光部を有し、
前記第１、第２の照射部および第１、第２の受光部は菱形の頂点上に時計回りに第１の照射部、第１の受光部、第２の照射部、第２の受光部の順に配置され、前記第３、第４の照射部および第３、第４の受光部は菱形の頂点上に時計回りに第３の照射部、第３の受光部、第４の照射部、第４の受光部の順に配置され、前記第５、第６の照射部および第５、第６の受光部は菱形の頂点上に時計回りに第５の照射部、第５の受光部、第６の照射部、第６の受光部の順に配置され、前記第７、第８の照射部および第７、第８の受光部は菱形の頂点上に時計回りに第７の照射部、第７の受光部、第８の照射部、第８の受光部の順に配置され、
前記第１、第２、第３および第４の部分配列部材の菱形の辺の長さはそれぞれほぼ等しく、
前記菱形の辺の長さが一定の長さに保たれるよう、前記照射部および前記受光部の間は連結部材により連結され、
前記照射部または前記受光部を中心として前記連結部材が回転することにより前記部分配列部材の菱形の頂角は可変となるよう構成され、
前記第１の照射部、第３の受光部、第５の照射部、第７の受光部は、前記菱形の各辺の長さとほぼ等しい辺の長さをもつ正方形の頂点上に時計回りに順に配置構成されていることを特徴とする生体光計測装置。
【請求項４】
前記プローブは、前記被検体頭部に装着したときに前記第１の照射部と第１の受光部からなる辺は前記第７の受光部と第７の照射部からなる辺とほぼ平行になり、前記第７の受光部と第８の照射部からなる辺は前記第５の照射部と第６の受光部からなる辺とほぼ平行になり、前記第５の照射部と第５の受光部からなる辺は前記第３の受光部と第３の照射部からなる辺とほぼ平行になり、前記第３の受光部と第４の照射部からなる辺は前記第１の照射部と第２の受光部からなる辺とほぼ平行になるよう配置構成され、
前記被検体頭部に密着可能であることを特徴とする請求項３記載の生体光計測装置。
【請求項５】
前記照射部または前記受光部の一部が取り除かれていることを特徴とする請求項１ないし４のいずれか１に記載の生体光計測装置。
【請求項６】
前記プローブはベッドに固定されたヘルメット型のプローブであることを特徴とする請求項１ないし５のいずれか１に記載の生体光計測装置。
【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
互いに逆方向へ回転する上下のロータヘッドを同軸上に配してなる同軸反転式ラジオコントロールヘリコプタにおいて、
棒体の両側に重りを装着してなるスタビライザーバーをマストの上端にマストに対して傾動自在に取り付けるとともに、
当該スタビライザーバーを上側ロータヘッドのブレードに対して適宜な交差角度を保って当該ブレードと一体に回転し得るように取り付けて構成されたことを特徴とする同軸反転式ラジオコントロールヘリコプタ。
【請求項２】
下側ロータヘッドのブレードと機体に設けたブレード傾動機構のスワッシュプレートとを連結し、前記スワッシュプレートを動作させて前記下側ロータヘッドのブレードの回転面を変化させることにより機体の移動方向が制御されるように構成されたことを特徴とする請求項１に記載の同軸反転式ラジオコントロールヘリコプタ。
【請求項３】
ギヤードモータによってマストの回転軸の周りを当該回転軸と交差する方向へ移動自在に取り付けられたロワープレートと、ベアリングを介してロワープレートの中央開口部に装着されていてマストに対して傾動自在に連結されたブレードホルダとコントロールアームを介して連結したアッパープレートからなるスワッシュプレートを備え、スワッシュプレートのマストの回転軸と交差する方向への移動に伴ってコントロールアームがブレードホルダを傾動させるように構成された請求項１又は２に記載の同軸反転式ラジオコントロールヘリコプタ。
【請求項４】
ヨー軸制御信号とヨー軸の角速度測定信号を比較し、その結果に基づいて上側ロータと下側ロータをそれぞれ駆動する基準パルスを切り替えて両ロータ駆動回路に出力するヨー軸制御回路を備えた請求項１〜３の何れかに記載の同軸反転式ラジオコントロールヘリコプタ。
【手続補正２】
【補正対象書類名】明細書
【補正対象項目名】０００７
【補正方法】変更
【補正の内容】
【０００７】
【課題を解決するための手段】
前記課題を解決するため本発明の同軸反転式Ｒ／Ｃヘリは、棒体の両側に重りを装着してなるスタビライザーバーをマストの上端にマストに対して傾動自在に取り付けるとともに、当該スタビライザーバーを上側ロータヘッドのブレードに対して適宜な交差角度を保って当該ブレードと一体に回転し得るように取り付けて構成されたことを特徴とするものである。
また、本発明の同軸反転式Ｒ／Ｃヘリは、下側ロータヘッドのブレードと機体に設けたブレード傾動機構のスワッシュプレートとを連結し、前記スワッシュプレートを動作させて前記下側ロータヘッドのブレードの回転面を変化させることにより機体の移動方向が制御されるように構成されたことを特徴とするものである。
【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】
軸受部を含む固定部から回転機構部へ電力や信号を伝送するケーブルを巻き取る巻取機構を備えたX線CT装置において、前記巻取機構は、一端を前記固定部の不動部分に、他端を前記固定部の可動部分にそれぞれ固定した複数のケーブルを前記回転中心の軸方向に配列したケーブル束と、前記回転機構部の回転体の回転中心と同心に配置され、前記回転体と共に回転する底面部と側面部に配置され前記ケーブル束の張り出しを抑制するガイド板と、このガイド板を前記回転体に固定するガイドレールとを備えたことを特徴とするＸ線ＣＴ装置。
【手続補正２】
【補正対象書類名】明細書
【補正対象項目名】０００８
【補正方法】変更
【補正の内容】
【０００８】
本願発明の主要部分となる巻取機構は、図1に示すように、一端を固定部の不動部分（不動側固定部）5に、他端を前記固定部の可動部分（可動側固定部）6にそれぞれ固定した複数の同一径のケーブル2aを回転中心の軸方向に配列したケーブル束2と、回転機構部1の回転体1aの回転中心と同心に配置され、回転体1aと共に回転する底面部と側面部に配置され前記ケーブル束の張り出しを抑制するガイド板3と、このガイド板3を回転体1aに固定するガイドレール4とを有している。  
【手続補正３】
【補正対象書類名】明細書
【補正対象項目名】０００９
【補正方法】変更
【補正の内容】
【０００９】
回転機構部1は回転体1aに取り付けられ、回転体1aと共に回転するようになっている。ガイド板3は底面と側面を有する。ケーブル束2は、複数の同一径ケーブル2aを回転軸方向に配列し、所定の間隔で拘束具2bにより拘束する。ケーブル束2は一端を不動側固定部5に、他端を回転機構1が回転することによってケーブルが引き出されるように設けられる可動側固定部6に固定し、回転体軸受1bとガイド板3との間にある空間7にS字状に配置し、その空間7内を移動可能としている。ケーブル束2は不動側固定部5における拘束具2bの拘束間隔を狭くすることで、不動側固定部5付近におけるケーブル2aの屈曲性を低下させ不要な逆反りを抑制している。ガイドレール4はケーブル束2の移動の際、不要な張り出しを抑制するため、ガイド板3を回転体1aに固定する。
【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】
被検体へＸ線を照射するＸ線照射手段と、前記被検体を透過したＸ線信号を検出しこれを電気信号に変換する半導体素子を用いた平面型Ｘ線検出手段と、このＸ線検出手段の暗電流を検出する暗電流検出手段と、この暗電流検出手段で検出した信号を用いて前記Ｘ線検出手段の出力信号を補正する暗電流補正手段と、この暗電流補正手段で補正した信号を入力して画像処理を施し前記被検体のＸ線透過画像を生成する画像処理手段と、この画像処理手段で生成された画像を表示する表示手段とを備えたＸ線撮影装置であって、前記Ｘ線検出手段の暗電流を補正する指令を入力する暗電流補正指令入力手段と、前記Ｘ線検出手段の暗電流値の変化分を検出する暗電流変化値検出手段と、前記暗電流の変化値が所定値を越えたときに暗電流の補正の必要性を判断する暗電流補正判断手段と、該判断された暗電流の補正情報を報知する暗電流補正報知手段とを備えたことを特徴とするＸ線撮影装置。
【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】  本体容器に濾過材を備えてなる浄水器用カートリッジにおいて、
前記濾過材を通過する流体の流れを、少なくとも２方向以上に分流させる分流手段を有することを特徴とする浄水器用カートリッジ。
【請求項２】  前記分流手段は、前記分流手段の外周面と前記本体容器の内壁面との間に、分流された流体が通過可能な間隙を形成しており、かつ前記外周面には、前記間隙を通過した流体が、内部に保持されている前記濾過材へと流入可能な流入開口部が形成されている、請求項１に記載の浄水器用カートリッジ。
【請求項３】  前記分流手段内の前記濾過材を通過してきた流体を前記本体容器内に収納されている中空糸膜モジュールへと流入させる流入手段を前記分流手段内に有する、請求項１または２に記載の浄水器用カートリッジ。
【請求項４】  少なくとも前記分流手段の外周面および内周面のいずれか一方に、繊維交錯させて形成されたメッシュが配置されている、請求項２または３に記載の浄水器用カートリッジ。
【請求項５】  前記メッシュと前記分流手段とが一体成形されている、請求項４に記載の浄水器用カートリッジ。
【請求項６】  少なくとも前記流入手段の外周面および内周面のいずれか一方に、繊維交錯させて形成されたメッシュが配置されている、請求項３から５のいずれか１項に記載の浄水器用カートリッジ。
【請求項７】  前記メッシュと前記流入手段とが一体成形されている、請求項６に記載の浄水器用カートリッジ。
以上
【手続補正書】
【提出日】平成16年10月29日(2004.10.29)
【手続補正１】
【補正対象書類名】明細書
【補正対象項目名】０１１６
【補正方法】変更
【補正の内容】
【０１１６】
ＨＯＲＫ３タンパク質発現Ｃ６−１５細胞を、９６ウェルプレートに１×１０４細胞で播種した。１日培養した後、１ｍｍｏｌ／Ｌ−３−イソブチル−１−メチルキサンチン（Ｓｉｇｍａ社製）及び０．１％ＢＳＡ含有ＤＭＥＭ培地で１０分間処理した後、１μｍｏｌ／Ｌフォルスコリン（和光純薬社製）と２ＭｅＳＡＤＰ（最終濃度＝１×１０−１２〜１×１０−７ｍｏｌ／Ｌ）との組み合わせ、あるいは、１μｍｏｌ／ＬフォルスコリンとＡＤＰ（最終濃度＝１×１０−１０〜１×１０−５ｍｏｌ／Ｌ）との組み合わせを滴下した。３７℃で３０分間インキュベートした後に培養上清を除去し、０．２％ＴｒｉｔｏｎＸ−１００を含有するＰＢＳを用いて細胞を溶解した。
【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】
センターと該センターに巻き付けた糸ゴムからなる糸ゴム層と、該糸ゴム層の周囲を被覆するカバーとからなる糸巻きゴルフボールにおいて、前記糸ゴムが乾式紡糸によって得られるポリウレタン弾性繊維からなることを特徴とする糸巻きゴルフボール。
【請求項２】
ポリウレタン弾性繊維が、数平均分子量２５０〜２００００のポリアルキレンエーテルジオールを反応させて得られるポリウレタンエラストマーからなることを特徴とする請求項１記載の糸巻きゴルフボール。
【請求項３】
ポリアルキレンエーテルジオールが、アルキレン基にアルキル基側鎖を持つセグメントを３モル％以上８５モル％以下含むポリアルキレンエーテルジオールであることを特徴とする請求項２記載の糸巻きゴルフボール。
【手続補正２】
【補正対象書類名】明細書
【補正対象項目名】００２９
【補正方法】変更
【補正の内容】
【００２９】
【実施例１】
ブタジエンゴム（日本合成ゴム社の商品名；ＢＲ０１）１００重量部、硫酸バリウム７５重量部、酸化亜鉛（堺化学社の商品名；亜鉛華１号）５重量部、スルフェンアミド系加硫促進剤としてＮ−シクロヘキシル−２−ベンゾチアゾリルスルフェンアミド（大内新興化学工業社の商品名；ノクセラーＣＺ）０．２重量部及び硫黄９重量部をニーダーに投入し、混練してゴム組成物を得た。このゴム組成物をそれぞれ半球状のキャビティを備えた上型及び下型からなる金型に投入し、１５０℃で３０分間架橋して直径３２ｍｍのセンターを得た。次に作製したソリッドセンターの周囲に、乾式紡糸ポリウレタン弾性繊維「ロイカＳＣ」（旭化成（株）社の商品名）１２４０ｄｔｅｘを一定張力で巻き付けて外径３９．０ｍｍの糸巻きコアを作製した。
【手続補正３】
【補正対象書類名】明細書
【補正対象項目名】００３１
【補正方法】変更
【補正の内容】
【００３１】
【実施例２】
実施例1において、乾式紡糸ポリウレタン弾性繊維「ロイカＨＳ」（旭化成（株）社の商品名）を用いたことを除いては、実施例１と同様にして実施例２のゴルフボールを得た。